(57)【要約】【課題】  吸音特性や残響時間特性等を容易に調整できる間仕切壁と、これを設置した音楽室を提供することにある。【解決手段】  内部に吸音材２が配置され、略垂直に立設される間仕切壁１であって、音源Ａに面する受音側に吸音材２の表面を遮蔽可能な遮蔽板３を備え、吸音材２の一部または全部が露出可能になるように前記遮蔽板３は移動自在に取り付けられている間仕切壁。及び、間仕切壁１で仕切りされ、該間仕切壁１は前記遮蔽板３を音源Ａ側に向けて設置されている音楽室Ｌ。前記間仕切壁１は、該間仕切壁１の壁面に交差する方向に移動可能になされた可動間仕切壁である音楽室Ｌ。【選択図】  図１
2006138078.tif 000002
【特許請求の範囲】
【請求項１】
内部に吸音材が配置され、略垂直に立設される間仕切壁であって、音源に面する受音側に吸音材の表面を遮蔽可能な遮蔽板を備え、吸音材の一部または全部が露出可能になるように前記遮蔽板は移動自在に取り付けられていることを特徴とする間仕切壁。
【請求項２】
部屋における位置を変更可能にする移動手段を備えたことを特徴とする請求項１記載の間仕切壁。
【請求項３】
請求項１または２記載の間仕切壁で仕切りされ、該間仕切壁は前記遮蔽板を音源側に向けて設置されていることを特徴とする音楽室。
【請求項４】
前記間仕切壁は、該間仕切壁の壁面に交差する方向に移動可能になされた可動間仕切壁であることを特徴とする請求項３記載の音楽室。
【請求項５】
前記可動間仕切壁の上部または下部が、天井部または床部に敷設されたレールに沿って移動可能に支持されていることを特徴とする請求項４記載の音楽室。
【発明の詳細な説明】
【技術分野】
【０００１】
本発明は、吸音特性や残響時間特性等を容易に調整できる間仕切壁と、これを設置した音楽室に関する。尚、音楽室は音を楽しむための部屋であって、視聴覚室や住宅の居間等も含まれる。
【背景技術】
【０００２】
従来、防音効果を向上させた防音スライド壁が、特許文献１に記載されて知られている。この防音スライド壁は、固定壁とこの固定壁に沿ってスライドする可動壁との相対向する面のどちらか一方にシール面を設けるとともに他方に該シール面に摺接するパッキンを固定し、かつ前記シール面に向かって開口する部屋を前記パッキンに隣接して設けたものである。このような構成によれば、パッキンに隣接して設けた部屋により消音効果が得られ、固定壁と可動壁との隙間の防音効果が向上する。
【特許文献１】実公平６−２４５５２号公報
【発明の開示】
【発明が解決しようとする課題】
【０００３】
しかしながら、上記特許文献１記載のような従来技術にあっては、防音効果は向上するが固定したものであるから、このような従来技術をオーディオ・ビジュアル機器を使うＡＶルームや音を発生させる音楽室に適用した場合、吸音特性や残響時間特性も固定され、これらを容易に調整することはできなかった。
【０００４】
本発明の課題は、吸音特性や残響時間特性等を容易に調整できる間仕切壁と、これを設置した音楽室を提供することにある。
【課題を解決するための手段】
【０００５】
請求項１記載の発明は、内部に吸音材が配置され、略垂直に立設される間仕切壁であって、音源に面する受音側に吸音材の表面を遮蔽可能な遮蔽板を備え、吸音材の一部または全部が露出可能になるように前記遮蔽板は移動自在に取り付けられていることを特徴とする。
遮蔽板の取り付け方としては、例えば、複数の分割された遮蔽板により吸音材の表面を遮蔽し、該遮蔽板は垂直または水平方向にスライド自在に取り付けるものとしてもよい。又、複数の分割された遮蔽板により吸音材の表面を遮蔽し、該遮蔽板は一側縁辺部を回動自在に支持されて適宜の角度の開状態または閉状態のいずれかを選択自在に取り付けるものとしてもよい。この場合、開状態を任意の角度に選択できるものとしてもよい。
間仕切壁は、空間を音楽室と他の部屋との二つの部屋に仕切るものであってもよいし、外壁の裏面側に設けて音楽室とその外とを仕切る内壁であってもよい。又、部屋における位置を変更可能とする可動間仕切壁であってもよい。
【０００６】
請求項２記載の発明は、請求項１記載の間仕切壁であって、部屋における位置を変更可能にする移動手段を備えたことを特徴とする。
移動手段としては、天井部または床部に敷設されたレールに沿って移動可能に係合する車輪等の係合部でよい。
移動の方向は、二つの部屋を仕切ったり開放したりできる間仕切壁の面に沿った方向でも良いし、音源からの距離を変更するために、音楽室の面積を可変にできるように、間仕切壁の壁面に交差する方向であってもよい。
【０００７】
請求項３記載の発明は、請求項１または２記載の間仕切壁で仕切りされ、該間仕切壁は前記遮蔽板を音源側に向けて設置されていることを特徴とする音楽室である。
【０００８】
請求項４記載の発明は、請求項３記載の音楽室であって、前記間仕切壁は、該間仕切壁の壁面に交差する方向に移動可能になされた可動間仕切壁であることを特徴とする。
【０００９】
請求項５記載の発明は、請求項４記載の音楽室おいて、前記可動間仕切壁の上部または下部が、天井部または床部に敷設されたレールに沿って移動可能に支持されていることを特徴とする。
【発明の効果】
【００１０】
請求項１記載の発明によると、遮蔽板の位置を変えて、吸音材の露出割合を変えることによって、吸音特性や残響時間特性等を容易に調整できる。
複数の分割された遮蔽板により吸音材の表面を遮蔽し、該遮蔽板を垂直または水平方向にスライド自在に取り付けるものとした場合は、遮蔽板をスライドさせることにより、遮蔽板の位置を変えて、吸音材の露出割合を変える。
複数の分割された遮蔽板により吸音材の表面を遮蔽し、該遮蔽板は一側縁辺部を回動自在に支持されて適宜の角度の開状態または閉状態のいずれかを選択自在とした場合は、遮蔽板を開状態または閉状態と角度を変えて、吸音材の露出割合を変える。開状態であっても遮蔽板の角度を変えることができるときは、遮蔽板の角度により残響時間特性等を容易に調整できる。
【００１１】
請求項２記載の発明によると、間仕切壁が部屋における位置を変更可能にする移動手段を備えているので、間仕切壁の面に沿った方向に位置を変更可能な場合は、吸音特性や残響時間特性等を容易に調整できるだけでなく、二つの部屋を仕切ったり開放したりできるので、部屋の使い方の自由度が増す。又、間仕切壁の壁面に交差する方向に位置を変更可能な場合は、音源からの距離を変更できるので、吸音特性や残響時間特性等を容易に調整できるだけでなく、音楽室の面積を可変にでき、部屋の使い方の自由度が増す。
【００１２】
請求項３記載の音楽室によると、請求項１または２記載の間仕切壁で仕切りされ、該間仕切壁は前記遮蔽板を音源側に向けて設置されているので、この音楽室は吸音特性や残響時間特性等を容易に調整できる。
【００１３】
請求項４記載の発明によると、さらに、前記間仕切壁は、間仕切壁の壁面に交差する方向に移動可能になされた可動間仕切壁であるから、音楽室の面積を変えることによって音楽室の吸音特性や残響時間特性等をさらに調整できる。
【００１４】
請求項５記載の発明によると、さらに、前記可動間仕切壁の上部または下部が、天井部または床部に敷設されたレールに沿って移動可能に支持されているので、音楽室の面積を簡単に変えることができる。
【発明を実施するための最良の形態】
【００１５】
図１は、本発明の一実施の形態であって、図１（イ）は音楽室の縦断面図であり、(ロ)は音楽室を備えた建物の平面図である。図において、１は間仕切壁、２は吸音材、３は遮蔽板である。
【００１６】
本実施の形態において、図１（イ）に示す建物Ｔは、ユニット方式の建物であって、４つの建物ユニットＵを隣接配置して構築されている。建物Ｔにおいて、紙面上の上部に配置された浴室等のサニタリー設備室ＳとダイニングキッチンＫに隣接して、間仕切壁１にて仕切られた音楽室Ｌ(ＡＶルームとなる居間)が設けられている。
【００１７】
本実施の形態の間仕切壁１は、内部に吸音材２が配置され、略垂直に立設される音楽室Ｌ用のものであって、音源(ＡＶ機器)Ａに面する受音側の面が吸音材２の表面を遮蔽する２枚の分割された遮蔽板３，３で覆われている。吸音材２は、ガラスウールや布等の繊維状のものが使用される。遮蔽板３、３は、合板で形成され、いずれも垂直方向にスライド自在に取り付けられ、吸音材２の一部または全部を露出させたり、遮蔽したりできるようになっている。４は合板製の固定板であり、この固定板４は受音側の面の上下２箇所に取り付けられ、固定板４の上に遮蔽版３を重ね合わせてスライドできるようになっている。５は背面板であって、間仕切壁１の背面側を覆っている。
【００１８】
本実施の形態の音楽室Ｌは、上記構成になされた間仕切壁１でダイニングキッチンＫ側と仕切りされている。間仕切壁１は前記遮蔽板２を音源側に向けて設置されている。
【００１９】
上記音楽室Ｌにおいて、間仕切壁１は、間仕切壁の壁面に交差する方向に移動可能になされた可動間仕切壁であって、この可動間仕切壁１の上部は、天井部Ｃに間仕切壁の壁面に交差する方向に敷設されたレールＲに沿って移動可能に支持されている。なお、レールＲは間仕切壁１の左右両側を支持できるように２本設けられている。
【００２０】
上記のように構成された本実施の形態の間仕切壁１と、これを設置して仕切られた音楽室Ｌによると、以下のような作用効果がある。
【００２１】
（１）本実施の形態の間仕切壁１によると、この間仕切壁１の音源Ａに面する受音側の面が吸音材２の表面を遮蔽する２枚の分割された遮蔽板３，３で覆われ、該遮蔽板３，３は垂直方向にスライド自在に取り付けられ、吸音材２の一部または全部が露出可能になされているので、吸音材２の露出割合を変えることによって、吸音特性や残響時間特性等を容易に調整できる。実施例では、残響時間を０．３〜１．５秒まで調整可能であった。
【００２２】
（２）本実施の形態の音楽室Ｌによると、上記の間仕切壁１で仕切りされ、該間仕切壁１は前記遮蔽板３を音源側に向けて設置されているので、この音楽室Ｌは、（１）と同じ理由により、吸音特性や残響時間特性等を容易に調整できる。
【００２３】
（３）本実施の形態の音楽室Ｌによると、さらに、前記間仕切壁１は、移動可能になされた可動間仕切壁であるから、音楽室Ｌの面積を変えることによって音楽室Ｌの吸音特性や残響時間特性等をさらに調整できる。
【００２４】
（４）また、本実施の形態の音楽室Ｌによると、さらに、前記可動間仕切壁１の上部が、天井部Ｃに敷設されたレールＲに沿って移動可能に支持されているので、音楽室Ｌの面積を簡単に変えることができる。
【００２５】
図２は、本発明の別の実施の形態であって、間仕切壁が設置された音楽室の断面図である。本実施の形態において、前記実施の形態と同じものは同符号を付けて説明を省略し、異なるものは別符号を付けて説明する。図において、１０は間仕切壁、２０は吸音材、３０は遮蔽板である。
【００２６】
本実施の形態において、建物は前記実施の形態に示したユニット方式の建物Ｔと同じであるが、前記実施の形態では間仕切壁１にて仕切られた音楽室Ｌ(ＡＶルーム)が設けられたものであったが、本実施の形態では、間仕切壁１０にて仕切られた音楽室Ｌ(ＡＶルーム)が設けられている。
【００２７】
本実施の形態の間仕切壁１０は、図２に示すように、内部に吸音材２０が配置され、床部Ｆから略垂直に立設される音楽室Ｌ用の間仕切壁であって、音源(ＡＶ機器) Ａに面する受音側の面が吸音材２０の表面を遮蔽する４枚の分割された遮蔽板３０で覆われているものである。遮蔽板３０は、一側縁辺部(上辺部)を横枠材４０に回動自在に支持して適宜の角度の開状態または閉状態のいずれかを選択自在に取り付けられ、吸音材２０の一部または全部が露出可能になされている。吸音材２０は、ガラスウールや布等の繊維状のものが使用される。遮蔽板３０は、合板で形成され、５は背面板であって、間仕切壁１の背面側を覆っている。
【００２８】
本実施の形態の音楽室Ｌは、上記間仕切壁１０で仕切りされ、該間仕切壁１０の遮蔽板３０を音源側に向けて設置されている。
【００２９】
本実施の形態の音楽室Ｌにおいて、前記間仕切壁１０は、移動可能になされた可動間仕切壁であって、この可動間仕切壁１０の上部は、天井部Ｃに敷設されたレールＲに沿って移動可能に支持されている。
【００３０】
上記に示した本実施の形態の間仕切壁１０と、これを設置して仕切られた音楽室Ｌによると、以下の作用効果がある。
（１）本実施の形態の間仕切壁１０によると、音源Ａに面する受音側の面が吸音材２０の表面を遮蔽する４枚の分割された遮蔽板３０で覆われ、該遮蔽板３０は上辺部を回動自在に支持して適宜の角度の開状態または閉状態のいずれかを選択自在に取り付けられ、吸音材２０の一部または全部が露出可能になされているので、吸音材２０の露出割合を変えることによって、吸音特性や残響時間特性等を容易に調整できる。この際、残響時間特性は遮蔽板３０の開角度の調整によっていっそう容易に調整できる。実施例では、残響時間を０．３〜１．５秒まで調整可能であった。
【００３１】
（２）本実施の形態の音楽室Ｌによると、上記の間仕切壁１０で仕切りされ、該間仕切壁１０は前記遮蔽板３０を音源側に向けて設置されているので、この音楽室Ｌは、吸音特性や残響時間特性等を容易に調整できる。
【００３２】
（３）本実施の形態の音楽室Ｌによると、さらに、前記間仕切壁１０は、移動可能になされた可動間仕切壁であるから、音楽室Ｌの面積を変えることによって音楽室Ｌの吸音特性や残響時間特性等をさらに調整できる。
【００３３】
（４）本実施の形態の音楽室Ｌによると、さらに、前記可動間仕切壁１０の上部が、天井部Ｃに敷設されたレールＲに沿って移動可能に支持されているので、音楽室Ｌの面積を簡単に変えることができる。
【００３４】
以上、本発明を実施の形態に基づいて説明してきたが、本発明は上記実施の形態に限られるものではなく、本発明の要旨を逸脱しない範囲の設計の変更等があっても本発明に含まれる。
【産業上の利用可能性】
【００３５】
本発明の間仕切壁と、これを設置した音楽室は、吸音特性や残響時間特性を容易に調整できるので、音響特性にすぐれたオーディオルームや、マニアの好みに合わせたオーディオルーム等を実現できる。
【図面の簡単な説明】
【００３６】
【図１】本発明の一実施の形態であって、（イ）は音楽室の縦断面図であり、(ロ)は音楽室を備えた建物の平面図である。
【図２】本発明の別の実施の形態であって、音楽室の縦断面図である。
【符号の説明】
【００３７】
１，１０    間仕切壁
２，２０    吸音材
３，３０    遮蔽版
Ｌ          音楽室
Ｃ          天井部
Ｒ          レール
【図１】
2006138078.tif 000003
【図２】
2006138078.tif 000004